(57)【要約】【課題】本考案は靴下の口ゴム部に締め付け調整用部材を追加することで、購入時に既に設定されている締め付け圧迫感やずり落ち感を、自分に合った好みの締め付け強度に調整して履くことが出来る靴下にする。【解決手段】靴下の履き口に設けられている伸縮するゴム素材を使った円筒形の口ゴム部に、二等辺三角形をした伸縮しない素材を底辺が口ゴム部上端の円周に追加されるように繋ぎ込み漏斗型をした伸縮機能が解除された口ゴム部とする。そこで追加した伸縮しない三角形の素材を好みの長さに折り込んで短縮し固定部材で固定することにより、口ゴム部全体の円周の長さを短縮することが出来ることとなり、円周に占める伸縮するゴム素材の割合が高くなることで、口ゴム部の締付け強度を調整することが出来るようになる。【選択図】図５
0003138239.tif 000002
【実用新案登録請求の範囲】
【請求項１】
靴下の履き口に設けられている伸縮するゴム素材を使った円筒形をした口ゴム部を縦方向に切り裂き、それとは別に伸縮しない素材を使った二等辺三角形の部材を作り、底辺が口ゴム部上端の円周に追加され、頂点が口ゴム部の下端に位置するよう逆三角形にした状態で二辺を円筒形の切り裂き部に繋ぎ込んで漏斗型をした口ゴム形態にすることで、ゴム素材の伸縮機能が解かれた状態となり、追加した底辺の長さを好みの長さに折り込んで短くし固定すれば、口ゴム全体の円周が短くなり、円周全体に占める伸縮するゴム素材の割合が高くなるので伸縮する機能が折り込み長さに対応して働くようになる口ゴム部を特徴とする靴下。
【考案の詳細な説明】
【技術分野】
【０００１】  本考案は、靴下のずり落ち防止の為に足首の回りを締め付けている口ゴムを、履いている本人が好みの締め付け強度に調整して履くことが出来る機能を備えた口ゴム部にすることに関するものである。
【背景技術】
【０００２】  靴下の口ゴムによる締め付けは、ずり落ち防止の為に一般的に少し強めに設定されているので、そのまま長時間続けて履いていると血液循環の障害となり圧迫感が強くて嫌がる人が多い。そこで緩い締め付けの靴下が開発されているのだが、その方法としては、ゴムの細さ、ゴムの柔らかさ、ゴムの編み方、口ゴムの円周の大きさ、口ゴムの丈の長さ、口ゴムの複数個所使用、伸縮しない素材を使った締め付けが皆無の物等の工夫がされ、いろいろと締め付け強度の違う靴下はあるのだが、一素材のみを使用した円筒形の口ゴムである為に個々の靴下に設定されている締付け強度を変更することは出来ない。
【考案の開示】
【考案が解決しようとする課題】
【０００３】  一素材を使って工夫し開発された締め付け強度の異なる靴下はいろいろあるが、締め付け強度の規格設定が難しく、あらゆる締め付け強度の靴下を個々に準備することも不可能であり、いくら締め付け強度を勘案して買った靴下であっても自分には合わないことの方が多く、締め付け違和感があってもそれを我慢して履かざるを得ない。その上、問題なのは、締め付けが強い靴下はずり落ちる心配はないが足を圧迫し血液循環や心身の疲れに悪影響を与えるし、その圧迫を取り除くには靴下を脱ぐ以外に方法は無い、反対に締め付けが緩い靴下は足には圧迫感を与えないので快適な履き心地ですがずり落ちる不便さがあり、どちらの靴下も共に一長一短があります。そこで、いろいろな締め付けの靴下を探して履くのではなく、一つの靴下で締め付ける強度が調整できる機能があれば、これらの問題点を全て解決することが出来る事になる。
【課題を解決するための手段】
【０００４】  靴下の口ゴム部の素材が伸縮するゴム素材だけで円筒形をしている形態では締め付け強度を調整することは出来ないが、その口ゴム部を伸縮する素材と、伸縮しない素材を繋ぎ合わせ一旦は伸縮機能を解除した状態にして、そこから伸縮しない素材の長さを短くして固定していけば口ゴム部全体の円周が短くなり円周全体に占める伸縮するゴム素材の割合が高くなるので伸縮する機能が短くなった長さに対応して働くようになり口ゴム部の締付け強度を調整することが出来ることとなる。
【考案の効果】
【０００５】  上述のように、ゴム素材の伸縮素材の緩衝効果と、口ゴムの円周長さを変更することが可能となることで、購入した靴下を自分の足の大きさ、快適な締め付け感覚に合わせ調整して履くことが可能となる上、歩く時や運動をする時には強めの締め付けに、椅子に座って仕事や勉強をしている間は緩めの締め付けに、休憩する時には締め付けを完全に解除した状態にする等、一日の行動パターンに合わせて靴下を履いたままの状態で締め付け調整をする事が出来るので、違和感のある同じ締め付け強度で一日我慢する必要がなく、血液循環も良くなり、圧迫感を感じないリラックス状態で行動する事が出来る為に心身共に疲れ難く快適な気分で毎日を過ごせることになる。
又、締め付けを完全解除した状態にすれば、履き口が広くなり締め付けが無いので靴下が履き易いし、圧迫感を開放する為に素足になる必要も無くなる。
【考案を実施するための最良の形態】
【０００６】  従来の伸縮素材のみの円筒形口ゴム部はそのままの形態とし、その口ゴムを縦方向に上から下まで切り裂き、その切り裂き部両端に、二等辺三角形をした伸縮しない素材を底辺が口ゴム部上端の履き口円周に追加され頂点が口ゴム部の下端に位置するよう逆三角形にした状態で二辺を繋ぎ込むと、口ゴム部上端の円周には三角形の底辺の長さが追加されるが、靴下本体に繋がっている口ゴム部下端の円周には何も追加されないので上端に向かって広がった漏斗型をした形態の口ゴム部が出来上がる。そこで、その繋ぎ込んだ三角形の素材を折り込んで長さ調整して固定する為に、三角形素材の左と右の両端にお互いに接着し合える接着テープを向き合わせに取り付けて、両テープを手繰り寄せて調整した長さの所でテープ同士を接着固定できる部材を取り付けた形態とする。尚、両テープの接着を解除すれば折り込んだ三角形が元に戻り締め付けが完全解除されることになる。
【実施例】
【０００７】  以下、添付図面の図１〜図５に従って一実施例を説明する。図１は、靴下の伸縮するゴム素材のみの口ゴム部１を一箇所上から下に縦に切り裂いたもので、２のように切り裂いた上部が広がった状態になります。図２は、切り裂いたところに取り付ける締め付け調整用部材で、二等辺三角形をした伸縮しない素材の布３にその布を左右両端から引き寄せ合って三角形の布を折り込んだ後に元に戻らないように固定する為のお互いに接着し合える接着テープ４を向き合った形で左右両側に取り付けたもので、両接着テープの接合により調整された長さが固定されることになります。この調整用部材の二等辺の縫い代５の部分を口ゴム切り裂き部２に縫い付けて繋ぎ込みます。図３は、調整用部材を口ゴム部切り裂き位置に縫い付けた締め付け調整が出来る靴下の完成図である。図４は、三角の布を折り込まず何も調整していない状態で締め付けは開放されている状態で、左右の接着テープ４は離れた状態に位置し、足首周りと口ゴム部には漏斗形の隙間ができて締め付けが効いていない状態となります。図５は、三角形の布を好みの長さに調整して折り込み左右の接着テープ同士を繋いで接着固定することで折り込みが元に戻らず口ゴムの円周が短縮することで履く人の好みの締め付け強度に調整ができるようになっているものです。
【図面の簡単な説明】
【０００８】
【図１】  靴下の伸縮する口ゴム部を一箇所縦に切り裂いた図である。
【図２】  伸縮しない布と接着テープを組み合わせた調整用部材の図である。
【図３】  調整用部材を口ゴムの切り裂き部に繋ぎ込んだ完成図である。
【図４】  口ゴム部の締付け強度を開放して履いている状態の使用図である。
【図５】  口ゴム部の締付け強度を調整して履いている状態の使用図である。
【符号の説明】
【０００９】  １  靴下の口ゴム部
２  口ゴム部を縦に切り裂いた箇所
３  二等辺三角形をした伸縮しない布
４  左右に取り付けた接着テープ
５  三角布の縫い代
６  調整用部材の取り付け場所
【図１】
0003138239.tif 000003
【図２】
0003138239.tif 000004
【図３】
0003138239.tif 000005
【図４】
0003138239.tif 000006
【図５】
0003138239.tif 000007